(57)【要約】  種々のフレームやレンズの形状に装用可能な眼鏡用遮閉器を提供する。  一対のレンズ（２２）及びこれらレンズ（２２）を支持するフレーム（２１）を有する眼鏡（２０）の一方のレンズ（２２）の一面に近接して配置され、眼鏡（２０）の装着者に対してレンズ（２２）のみの場合と異なる光学特性を付与する本体部（１１）と、この本体部（１１）からレンズ（２２）の一面側に突出してフレーム（２１）のリム（２３）上端部またはレンズ（２２）の上端部に係止可能な係止部（１５）とを有する。
2019073950.tif 000002
【特許請求の範囲】
【請求項１】
一対のレンズ及びこれらレンズを支持するフレームを有する眼鏡の一方の前記レンズの一面に近接して配置され、前記眼鏡の装着者に対して前記レンズのみの場合と異なる光学特性を付与する本体部と、この本体部から前記レンズの前記一面側に突出して前記フレームのリム上端部または前記レンズの上端部に係止可能な係止部とを有することを特徴とする眼鏡用遮閉器。
【請求項２】
前記本体部は一方の前記レンズを遮閉することを特徴とする請求項１に記載の眼鏡用遮閉器。
【請求項３】
前記係止部は一対設けられていることを特徴とする請求項１または２に記載の眼鏡用遮閉器。
【請求項４】
前記係止部は前記レンズの上下方向に移動可能に設けられていることを特徴とする請求項１〜３のいずれかに記載の眼鏡用遮閉器。
【請求項５】
前記本体部の前記レンズの前記一面側に設けられ、一方の前記レンズの前記一面に当接可能な滑り止め部を有することを特徴とする請求項１〜４のいずれかに記載の眼鏡用遮閉器。
【請求項６】
前記本体部の上端部から上方に突設されたバランサー部を有することを特徴とする請求項１〜５のいずれかに記載の眼鏡用遮閉器。
【発明の詳細な説明】
【技術分野】
【０００１】
本発明は、視力検査時に適用される眼鏡用遮閉器に関する。
【背景技術】
【０００２】
眼科における視力検査では、眼鏡等の矯正を行わない状態での裸眼視力及び眼鏡等による矯正を行った状態での屈折矯正視力をそれぞれ測定する。特に、患者の日常生活での視機能を評価するためには、患者本人が眼鏡を装用した際の視力（以下、眼鏡視力と称する）を測定することが必須である。【０００３】
眼鏡視力の測定の際には、患者の片目ずつの眼鏡視力を測定するために、測定対象ではない側の目の視界を遮閉する眼鏡用遮閉器が用いられる。【０００４】
一般的に用いられている眼鏡用遮閉器（非特許文献１参照）の一例を図５及び図６を参照して説明する。【０００５】
眼鏡用遮閉器３０は、図５Ａ及び図５Ｂに示すように、黒色板状の略楕円形の本体部３１と、この本体部３１から図中上方に突出するつまみ部３２と、本体部３１の裏面（図５Ｂにおいて正面）に取り付けられた挟持部３３とを有する。挟持部３３は、つまみ部３２の裏側（図５Ｂにおいて正面側）に設けられたつまみ部３４と、このつまみ部３４から図中下方に二又に分かれて延びる一対の押さえ部３５と、このつまみ部３４及び押さえ部３５を本体部３１に対して離接自在に支持するとともに、つまみ部３４及び押さえ部３５を図５Ｂにおいて紙面の裏側に向かって付勢する板バネからなる支持部（図略）とを有する。押さえ部３５には、レンズ保護のためのゴム、プラスチック等の弾性部材からなるチューブ３６が被せられている。【０００６】
眼鏡視力の測定の際には、図６Ａ及び図６Ｂに示すように、眼鏡用遮閉器３０の一対のつまみ部３２、３４を互いに近接させる方向に付勢することで、押さえ部３５を本体部３１から離間させる方向に移動させ、この状態で、本体部３１を眼鏡４０の測定対象ではない側の目に対応するレンズ４１（図６Ａにおいて右側のレンズ４１）の前方に配置し、さらにつまみ部３２、３４に作用させていた付勢力を解除すると、支持部の付勢力によりレンズ４１が本体部３１と押さえ部３５との間に挟持されて固定される。これにより、測定対象ではない側の目（図６において左目）の視界を眼鏡用遮閉器３０により遮閉することができる。
【先行技術文献】
【非特許文献】
【０００７】
【非特許文献１】“メガネ用遮閉器｜取扱商品｜株式会社双葉”，［online］，［平成29年9月22日検索］，インターネット＜URL: https://www.futaba-ltd.co.jp/item/eyesight04/＞
【発明の概要】
【発明が解決しようとする課題】
【０００８】
しかしながら、上述した眼鏡用遮閉器３０は、付勢部材の付勢力によりレンズ４１を本体部３１と押さえ部３５との間に挟持する構成であったので、適用できる眼鏡４０のフレームが限定されるという課題があった。【０００９】
一例として、図７に示すように、レンズ４１がフレーム４２の一部（図示例ではブリッジ４３付近）でのみ固定され、それ以外はレンズ４１がフレーム４２の前方に突出する構成の眼鏡４０に眼鏡用遮閉器３０を適用しようとすると、支持部の付勢力によりレンズ４１にフレーム４２に接近する方向への力が作用し、フレーム４２やレンズ４１が変形するおそれがある。かかる状態であると、眼鏡用遮閉器３０を装用することが実際には困難である可能性すらあった。【００１０】
本発明は、上記の事情に鑑みて為されたもので、種々のフレームやレンズの形状に装用可能な眼鏡用遮閉器を提供することにある。
【課題を解決するための手段】
【００１１】
前記目的を達成するために、本発明の眼鏡用遮閉器は、一対のレンズ及びこれらレンズを支持するフレームを有する眼鏡の一方のレンズの一面に近接して配置され、眼鏡の装着者に対してレンズのみの場合と異なる光学特性を付与する本体部と、この本体部からレンズの一面側に突出してフレームのリム上端部またはレンズの上端部に係止可能な係止部とを有することを特徴とする。
【発明の効果】
【００１２】
このように構成された本発明の眼鏡用遮閉器は、一対のレンズ及びこれらレンズを支持するフレームを有する眼鏡の一方のレンズの一面に近接して配置され、眼鏡の装着者に対してレンズのみの場合と異なる光学特性を付与する本体部と、この本体部からレンズの一面側に突出してフレームのリム上端部またはレンズの上端部に係止可能な係止部とを有する。【００１３】
従って、この係止部をフレームのリム上端部またはレンズの上端部に係止させることで眼鏡用遮閉器を装用することができるので、眼鏡のレンズやフレームの形状や支持構造にかかわらず、種々のフレームやレンズの形状に装用可能な眼鏡用遮閉器を提供することができる。
【図面の簡単な説明】
【００１４】
【図１Ａ】本開示の一側面である眼鏡用遮閉器を示す正面図である。
【図１Ｂ】本開示の一側面である眼鏡用遮閉器を示す右側面図である。
【図１Ｃ】本開示の一側面である眼鏡用遮閉器を示す裏面図である。
【図２Ａ】本開示の一側面である眼鏡用遮閉器を眼鏡に装用した状態を示す正面図である。
【図２Ｂ】本開示の一側面である眼鏡用遮閉器を眼鏡に装用した状態を示す斜視図である。
【図３】バランサー部の作用を説明するための図である。
【図４Ａ】係止部の動作を説明するための図である。
【図４Ｂ】係止部の動作を説明するための図である。
【図５Ａ】一般的な眼鏡用遮閉器の一例を示す正面図である。
【図５Ｂ】一般的な眼鏡用遮閉器の一例を示す裏面図である。
【図６Ａ】一般的な眼鏡用遮閉器の一例を眼鏡に装用した状態を示す正面図である。
【図６Ｂ】一般的な眼鏡用遮閉器の一例を眼鏡に装用した状態を示す裏面図である。
【図７】眼鏡の一例を示す斜視図である。
【発明を実施するための形態】
【００１５】
以下、本開示の一側面である眼鏡用遮閉器を、図１Ａ〜図４Ｂを参照して説明する。
【００１６】
図１Ａは本開示の一側面である眼鏡用遮閉器を示す正面図、図１Ｂは右側面図、図１Ｃは裏面図である。
【００１７】
これら図において、本開示の一側面である眼鏡用遮閉器１０は本体部１１を有する。本体部１１は外形略楕円形状に形成された板状の部材から構成され、後に詳述するように、眼鏡用遮閉器１０が眼鏡に装用された際に、眼鏡の一方のレンズの一面に近接して配置され、このレンズを遮蔽する。従って、本体部１１は、通常市販されている眼鏡のレンズの寸法（特に天地及び玉形）を考慮し、レンズより十分大きい形状に形成されることが好ましい。
【００１８】
好ましくは、本体部１１は、発泡プラスチック、スポンジ等の軽量の板状部材の両面に黒色の硬質紙、硬質プラスチック板等を貼り付けて構成されて、全体として不透明な黒色板状に形成されている。
【００１９】
本体部１１の上部中央部には、その厚み方向に貫通する長穴状の貫通孔１１ａが形成され、この貫通孔１１ａには、略直方体状の連結部材１２が挿入されている。この連結部材１２の図１Ａにおいて表面側（手前の面側）には、本体部１１の表面に沿って延びるガイド部１３ａ及びこのガイド部１３ａから図１Ａにおいて手前側（図１Ｂにおいて左側）に立ち上がるつまみ部１３ｂを有するスライドつまみ１３が連結されている。
【００２０】
一方、連結部材１２の図１Ａにおいて裏面側（図１Ｃにおいて表面側）には、本体部１１の裏面に沿って延びるガイド板１４が連結されている。そして、このガイド板１４の左右両端部には、図１Ｃにおいて上方に、図１Ｂにおいて右方に突出する一対の係止部１５が取り付けられている。
【００２１】
この係止部１５は、後に詳述するように、眼鏡用遮閉器１０が眼鏡に装用され、本体部１１が眼鏡の一方のレンズの一面に近接して配置された際に、このレンズの一面側に突出して眼鏡のフレームのリム上端部またはレンズの上端部に係止可能に構成されている。
【００２２】
係止部１５は、図１Ｂに最もよく示すように、この図１Ｂにおいて下方に湾曲するかぎ状に形成されている。係止部１５は、好ましくはスポンジ等の軟質部材から構成され、本体部１１による遮閉効果を高めるために、黒色に形成されている。係止部１５は、連結部材１６によりガイド板１４に連結されている。
【００２３】
以上の構成により、図４Ａに示すように、スライドつまみ１３を上下方向にスライドさせることにより、このスライドつまみ１３のスライドに連れて係止部１５が上下方向に移動可能に構成されている。従って、例えば天地の狭い眼鏡であれば図４Ｂに示すように係止部１５を下方移動させることで、天地の狭い眼鏡から天地の広い眼鏡まで対応することができる。
【００２４】
図１Ａ〜図１Ｃに戻って、本体部１１の上端には、連結棒１７を介してバランサー部１８が取り付けられている。このバランサー部１８は本体部１１より小径の外形略楕円形状に形成された板状の部材から構成されている。バランサー部１８は、図１Ｂに最もよく示すように、本体部１１に対して図１Ｂにおいて前傾して取り付けられている。これにより、眼鏡用遮閉器１０全体としての重心は、係止部１５が本体部１１の上部に設けられていることとあいまって、本体部１１の中心よりもやや上で、かつ、図１Ｂにおいてやや左方に位置することとなる。
【００２５】
図１Ｃに最もよく示すように、本体部１１の裏面（図１Ｃにおいて表面）の下部には、発泡プラスチックやスポンジ等からなる、滑り止め効果を有する材質からなる滑り止め部１９が取り付けられている。この滑り止め部１９は、後に詳述するように、眼鏡用遮閉器１０が眼鏡に装用され、本体部１１が眼鏡の一方のレンズの一面に近接して配置された際に、この本体部１１の眼鏡のレンズの一面側に設けられ、このレンズの一面に当接可能に設けられている。
【００２６】
以上説明した構成を有する眼鏡用遮閉器１０を眼鏡に装用する手順について図２Ａ及び図２Ｂを参照して説明する。図２Ａは、本開示の一側面である眼鏡用遮閉器１０を眼鏡に装用した状態を示す正面図、図２Ｂは同斜視図である。
【００２７】
本開示の一側面である眼鏡用遮閉器１０を眼鏡２０に装用するには、フレーム２１により支持された眼鏡２０の一対のレンズ２２のうち、一方のレンズ（図２Ａ及び図２Ｂに示す例では左目用レンズ２２）の図中前面に眼鏡２０の本体部１１を配置し、この状態で係止部１５を、レンズ２２の上方に相当するフレーム２１のリム２３上端部に載置し、眼鏡用遮閉器１０をこの係止部１５により眼鏡２０に係止する。あるいは、いわゆるリムレスのフレーム（リム２３を省略してレンズを直接支持するタイプのフレーム）であれば、レンズ２２の上端部に係止部１５を載置して係止させる。
【００２８】
そして、スライドつまみ１３をスライドさせることで係止部１５を眼鏡２０に対して相対的に上下動させ、本体部１１によりレンズ２２全体を遮閉させる。これにより、眼鏡用遮閉器１０を眼鏡２０に装用させることができる。
【００２９】
この時、上述のように眼鏡用遮閉器１０全体の重心は、図２Ｂにおいて本体部１１よりやや左前方に位置するので、係止部１５により眼鏡用遮閉器１０を眼鏡２０に係止させると、本体部１１が反時計回りにわずかに回転し、滑り止め部１９がレンズ２２の前面に軽く当接した状態で停止する。これにより眼鏡用遮閉器１０と眼鏡２０（特にレンズ２２）との相対的移動が抑制される。
【００３０】
さらに、図３に示すように、眼鏡２０の装着者、つまり患者が前傾姿勢を取ることにより眼鏡２０が図中反時計回りに回転すると、上述したように眼鏡用遮閉器１０の重心位置が図中やや左方に位置することから、本体部１１が反時計回りに回転する力がより作用し、滑り止め部１９がレンズ２２の前面にさらに強く当接する。これにより眼鏡用遮閉器１０と眼鏡２０（特にレンズ２２）との相対的移動がさらに抑制される。
【００３１】
このように構成された本開示の一側面である眼鏡用遮閉器１０は、一対のレンズ２２及びこれらレンズ２２を支持するフレーム２１を有する眼鏡２０の一方のレンズ２２の一面に近接して配置された本体部１１と、この本体部１１からレンズ２２の一面側に突出してフレーム２１のリム２３上端部またはレンズ２２の上端部に係止可能な係止部１５とを有する。
【００３２】
従って、この係止部１５をフレーム２１のリム２３上端部またはレンズ２２の上端部に係止させることで眼鏡用遮閉器１０を装用することができるので、眼鏡２０のレンズ２２やフレーム２１の形状や支持構造にかかわらず、種々のフレーム２１やレンズ２２の形状に装用可能な眼鏡用遮閉器を提供することができる。
【００３３】
すなわち、本開示の一側面である眼鏡用遮閉器１０は、一般的な眼鏡用遮閉器３０のように挟持する構成ではないので、例えば図７に示すような立体的なフレーム４２であってもレンズ４１に過度な力が作用することなく装用可能である。
【００３４】
また、係止部１５が図１Ｂに最もよく示すように下方に湾曲するかぎ状に形成されているので、フレーム２１の厚みによらず確実に眼鏡用遮閉器１０を係止させることができ、フレーム２１が細枠から太枠まで、さらには図７に示すような立体的なフレーム４２まで広範囲な形状のフレーム２１にも適用可能である。
【００３５】
ここで、本体部１１は一方のレンズ２２を遮閉するので、眼鏡用遮閉器１０による遮閉効果を十分期待することができる。
【００３６】
また、係止部１５が一対設けられているので、眼鏡用遮閉器１０の眼鏡への係止を確実なものとすることができる。
【００３７】
さらに、係止部１５がレンズ２２の上下方向に移動可能に設けられているので、レンズ２２の天地方向の寸法に応じてこの係止部１５を上下方向に移動させることで、天地の狭い眼鏡から広い眼鏡まで対応することができる。
【００３８】
さらに、本体部１１のレンズ２２の一面側に設けられ、一方のレンズ２２の一面に当接可能な滑り止め部１９を有するので、この滑り止め部１９がレンズの一面に当接することにより眼鏡用遮閉器１０と眼鏡２０との相対的移動を抑制することができ、よって、眼鏡２０の装着者が顔を動かしても眼鏡用遮閉器１０がこれに十分追従することができる。
【００３９】
そして、本体部１１の上端部から上方に突設されたバランサー部１８を有するので、このバランサー部１８により眼鏡用遮閉器１０の重心が上方に移動され、これにより、仮に眼鏡２０の装着者が前傾姿勢を取った場合でも本体部１１がよりレンズ２２側に近付く方向に回転することで、眼鏡用遮閉器１０と眼鏡２０との相対的移動を抑制することができる。特に、手元の視力（近見視力）を測定する際には患者が前傾姿勢を取るので、かかる場合に眼鏡用遮閉器１０と眼鏡２０との相対的移動を抑制できることは好ましい。
【００４０】
以上、図面を参照して、本開示の側面について詳述してきたが、具体的な構成は、上述した開示の一側面に限らず、本発明の要旨を逸脱しない程度の設計的変更は、本発明に含まれる。
【００４１】
一例として、上述した本開示の一側面である眼鏡用遮閉器１０では、本体部１１を全体として不透明な黒色板状に形成することで、レンズ２２を完全に遮閉していたが、本体部の構成はこれに限定されず、眼鏡の装着者に対してレンズのみの場合と異なる光学特性を付与しうるものであれば、限定はない。このような本体部の一例として、サングラスのような黒色透明なもの、すりガラスのような半透明なもの、度の強い凸レンズ、ピンホールレンズ、さらには眼鏡のレンズと異なる光学特性を有するレンズが挿入可能なレンズホルダなどが挙げられる。
【００４２】
また、本体部１１を全体として不透明な黒色板状に形成した場合であっても、レンズ２２と反対側（図１Ａにおいて表面側）が黒色である必要はなく、例えば子供が喜ぶキャラクター等をプリントしてもよい。
【００４３】
さらに、係止部の個数及び形状も上述した開示の一側面のそれに限定されず、種々の変形例が可能である。一例として、上述の開示の一側面である眼鏡用遮閉器１０では、図１Ｃに最もよく示すように、係止部１５の先端１５ａ（図中下端）は互いに近接する方向に曲げられていた。いわば、一対の係止部１５は、図１Ｃにおいて水平方向に延びる曲線の弧の上に配置されていると考えることができる。従って、この曲線の弧に対応する曲線状の係止部を１個設けることであっても眼鏡に係止可能である。但し、本開示の一側面のように一対の係止部１５を設けることにより、これら係止部１５によりバランスを取って眼鏡２０に係止させることができるという利点はある。
【関連出願の相互参照】
【００４４】
本出願は、２０１７年１０月１０日に日本国特許庁に出願された特願２０１７−１９６６３１に基づいて優先権を主張し、その全ての開示は完全に本明細書で参照により組み込まれる。
【図１Ａ】
2019073950.tif 000003
【図１Ｂ】
2019073950.tif 000004
【図１Ｃ】
2019073950.tif 000005
【図２Ａ】
2019073950.tif 000006
【図２Ｂ】
2019073950.tif 000007
【図３】
2019073950.tif 000008
【図４Ａ】
2019073950.tif 000009
【図４Ｂ】
2019073950.tif 000010
【図５Ａ】
2019073950.tif 000011
【図５Ｂ】
2019073950.tif 000012
【図６Ａ】
2019073950.tif 000013
【図６Ｂ】
2019073950.tif 000014
【図７】
2019073950.tif 000015
【国際調査報告】
2019073950.tif 000016
2019073950.tif 000017
2019073950.tif 000018